(57)【要約】【課題】作業負担を軽減し、電力計測装置から計器ケーブルを、バイパス接続時に短絡、停電、異常電圧流入させず安全に取り外すためのバイパス接続支援システムとバイパス接続方法を提供する。【解決手段】無停電バイパス接続支援システム１は、電力メータ１０の電源側計器ケーブル１１〜１３に配置されて電流・電圧値を計測する電源側センサ２１〜２３と、負荷側計器ケーブル１４〜１６に配置されて電流・電圧値を計測する負荷側センサ２４〜２６とを備える。電源側センサ２１〜２３と負荷側センサ２４〜２６とは、計測した電流と電圧の値を無線で送信する送信部を含む。システム１はさらに電流・電圧値を無線で受信する受信部４１と、受信した値に基づいていずれの電源側計器ケーブルと負荷側計器ケーブルとが同相であるか否かとバイパス接続後の分電流を判定する判定部４３と、判定結果を表示する表示部４４と、分電流に異常があれば警報音を発する警報部４５を備える。【選択図】図１
2014137346.tif 000002
【特許請求の範囲】
【請求項１】
電力計測装置の電源側と負荷側の同相の計器ケーブルをバイパスケーブルでバイパス接続することを支援するシステムであって、
電力計測装置の電源側の計器ケーブルに配置されて電流と電圧の値を計測する電源側非接触電力計測器と、
電力計測装置の負荷側の計器ケーブルに配置されて電流と電圧の値を計測する負荷側非接触電力計測器とを備え、
前記電源側非接触電力計測器と前記負荷側非接触電力計測器とは、計測した電流と電圧の値を無線で送信する送信部を含み、
当該バイパス接続支援システムは、さらに、前記送信部から送信された電流と電圧の値を無線で受信する受信部と、
前記受信部が前記電源側非接触電力計測器の前記送信部から受信した電流と電圧の値と、前記受信部が前記負荷側非接触電力計測器の前記送信部から受信した電流と電圧の値とを比較することによって、前記電源側非接触電力計測器が配置された計器ケーブルと前記負荷側非接触電力計測器が配置された計器ケーブルとが同相であるか否かを判定する判定部と、
前記判定部によって判定された結果を表示する表示部とを備える、電力計測装置のケーブルのバイパス接続支援システム。
【請求項２】
複数の前記電源側非接触電力計測器と複数の負荷側非接触電力計測器とを備える、請求項１に記載のバイパス接続支援システム。
【請求項３】
前記電源側非接触電力計測器と前記負荷側非接触電力計測器とは、計器ケーブルからの漏れ磁束によって動作電力を確保することが可能であるように構成されている、請求項１または請求項２に記載のバイパス接続支援システム。
【請求項４】
バイパスケーブルの両端に取り付けられて計器ケーブルの被覆を貫通できるコネクタを備える、請求項１から請求項３までのいずれか１項に記載のバイパス接続支援システム。
【請求項５】
バイパス接続前に前記電源側非接触電力計測器または前記負荷側非接触電力計測器によって計測された電流の値をバイパス前電流の値として記憶する記憶部を備え、
前記判定部は、前記バイパス前電流の値に対して、バイパス接続後に計器ケーブルを流れる分電流の値が所定の比率で減少しているか否かを判定するように構成されている、請求項１から請求項４までのいずれか１項に記載のバイパス接続支援システム。
【請求項６】
前記判定部は、前記バイパス前電流の値に対して、バイパス接続後に前記電源側非接触電力計測器または前記負荷側非接触電力計測器によって計測される分電流の値が所定の比率で減少しているか否かを判定することによって、前記バイパス前電流の値に対して、バイパス接続後に計器ケーブルを流れる分電流の値が所定の比率で減少しているか否かを判定するように構成されている、請求項５に記載のバイパス接続支援システム。
【請求項７】
バイパスケーブルに配置されて少なくとも電流の値を計測するバイパスケーブル電流計測器を備え、
前記判定部は、前記バイパス前電流の値に対する、バイパス接続後に前記バイパスケーブル電流計測器によって計測される電流の値の比が所定の値より大きいか否かに基づいて、前記バイパス前電流の値に対して、バイパス接続後に計器ケーブルを流れる分電流の値が所定の比率で減少しているか否かを判定するように構成されている、請求項５に記載のバイパス接続支援システム。
【請求項８】
警報部を備え、
前記警報部は、前記バイパス前電流の値に対して、前記分電流の値が所定の比率で減少していないと前記判定部が判定した場合に警報音を発するように構成されている、請求項５から請求項７までのいずれか１項に記載のバイパス接続支援システム。
【請求項９】
電源側の複数の計器ケーブルのそれぞれに前記電源側非接触電力計測器を作業者が配置するステップＡと、
負荷側の複数の計器ケーブルのそれぞれに前記負荷側非接触電力計測器を作業者が配置するステップＢと、
前記電源側非接触電力計測器が計測した電流と電圧の値を前記送信部が送信し前記受信部が受信するステップＣと、
前記負荷側非接触電力計測器が計測した電流と電圧の値を前記送信部が送信し前記受信部が受信するステップＤと、
前記受信部が受信した電流の値をバイパス前電流として前記記憶部が記憶するステップＥと、
前記受信部が前記電源側非接触電力計測器の前記送信部から受信した電流と電圧の値と、前記受信部が前記負荷側非接触電力計測器の前記送信部から受信した電流と電圧の値とを比較することによって、前記判定部が前記電源側非接触電力計測器が配置された計器ケーブルと前記負荷側非接触電力計測器が配置された計器ケーブルとが同相であるか否かを判定するステップＦと、
前記判定部によって判定された結果を表示部が表示するステップＧと、
前記判定部によって同相であると判定された電源側の計器ケーブルと負荷側の計器ケーブルとを作業者がバイパスケーブルでバイパス接続するステップＨと、
バイパス接続された電源側の計器ケーブルに配置された前記電源側非接触電力計測器が計測した分電流の値、または、バイパス接続された負荷側の計器ケーブルに配置された前記負荷側非接触電力計測器が計測した分電流の値の少なくとも一方を前記送信部が送信し前記受信部が受信するステップＩと、
前記ステップＥにおいて前記記憶部に記憶されたバイパス前電流の値に対して、前記ステップＩにおいて前記受信部が受信した分電流の値が所定の比率で減少しているか否かを前記判定部が判定するステップＪと、
前記ステップＪにおいて前記バイパス前電流の値に対して、前記分電流の値が所定の比率で減少していないと判定された場合には前記警報部が警報音を発するステップＫとを含む、請求項８に記載のバイパス接続支援システムを用いた電力計測装置のケーブルのバイパス接続方法。
【発明の詳細な説明】
【技術分野】
【０００１】
本発明は電力計測装置の電源側と負荷側の計器ケーブルとをバイパス接続し、無停電で電力計測装置を交換するためのバイパス接続支援システムとそれを用いたバイパス接続方法に関する。
【背景技術】
【０００２】
従来、計器ケーブルに接続された電力計測装置を交換するときには、電源側の計器ケーブルと負荷側の計器ケーブルとをバイパスケーブルで接続し、その後に電力計測装置を計器ケーブルから取り外すことによって、交換作業時に停電が生じないようにされている。
【０００３】
電源側の計器ケーブルと負荷側の計器ケーブルとをバイパス接続するときには、バイパスケーブルで接続する計器ケーブルどうしが同相であることを確認する必要がある。同相の確認は、例えば、各ケーブルに付けられた相順番識別マークや電源側識別マーク、負荷側識別マークを作業者が目視で確認して行っている。
【０００４】
しかしながら、電力計測器が配置されている場所が狭い場合など、同相であるか否かの確認が困難である場合がある。
【０００５】
そこで、同相であるか否かの確認の別の方法として、例えばバイパスケーブルの中間にリレーを設けて、各相の電源側と負荷側の間の電位差等について、バイパス接続の際に論理チェックし、同相であるか否かのチェック結果をランプで表示して作業者に確認させる方法も採用されている。
【０００６】
電力ケーブル間の検相装置や検相方法として、例えば、特開２０００−１６２２５８号公報（特許文献１）には、遠く離隔した地点間で配電線の検相を行うための検相器が記載されている。この検相器は、各検相地点で配電線の対地相電圧を検出して検相信号を出力する送信側および受信側検出部と、送信側検出部の検相信号と受信側検出部の検相信号とを位相比較し、その比較結果に基づいて配電線が同相か異相かを判定表示する受信側インターフェース部を備えている。また、検相結果により同相であった場合に点灯する同相ランプや異相であった場合に点灯する異相ランプが配設されることや、検相結果が異相であった場合には、異相ランプが点灯すると同時に圧電ブザーが発音することが記載されている。
【０００７】
実開平７−４３２４１号公報（特許文献２）には、電力線に接触させて相情報を検出する検出手段と、検出手段によって検出された相情報を受信して相情報相互間の位相関係を識別する判定手段と、識別結果を基に相情報間の位相関係を表示する表示手段とを備える検相器が記載されている。
【０００８】
また例えば、バイパスケーブルを用いずに電力量計を取り替える方法も提案されている。特開平８−１１４６２９号公報（特許文献３）には、単相三線式電力量計の取替え方法が記載されている。特許文献３に記載の方法は、電力量計の負荷側の第１相配線、第２相配線、第３相配線に、それぞれ、単巻きの変圧器の巻き線の一端側接続端子、中性線接続端子、他端側接続端子を接続させ、その後に、特定の電源側配線とこれに対応する負荷側配線を取り外して外部接続し、他の電源側及び負荷側配線も同様に順次、外部接続する方法である。
【先行技術文献】
【特許文献】
【０００９】
【特許文献１】特開２０００−１６２２５８号公報
【特許文献２】実開平７−４３２４１号公報
【特許文献３】特開平８−１１４６２９号公報
【発明の概要】
【発明が解決しようとする課題】
【００１０】
しかしながら、特許文献１の検相器は、遠方の２地点間でのそれぞれの検相対象線が同相か異相かを判定するためのものである。電力計に接続されている配電線を検相し、同相と判断された配電線をバイパス接続し、電力量計を交換するために用いられるものではない。
【００１１】
また、特許文献２には、電力計に接続されている配電線を検相し、同相と判断された配電線をバイパス接続し、電力量計を交換することについては記載されていない。
【００１２】
また、特許文献３に記載の方法では、特定の電源側配線に、どの負荷側配線が対応しているのかを検知することができない。
【００１３】
また、バイパスケーブルの中間にリレーを設ける場合には、次のような問題がある。すなわち、リレー装置本体は１ｋｇ弱あり、相当の大きさである。また、分電流確認機能を有していないので、計器取り外し時に停電となる恐れや、中性線の接続不備があった場合に異常電圧流入となる恐れがある。
【００１４】
現在では電化製品が多用されており、停電したり、異常電圧流入があったりすると、使用者が電化製品に設定した予約、例えば、録画器の録画予約や空気調和機の空調設定予約などがキャンセルされてしまうものもある。そのため、電力メータが狭い場所に取り付けられているなど、電力メータの交換作業が困難な場合であっても、無停電で交換を完了させることが求められている。
【００１５】
そこで、この発明の目的は、電力計測装置に接続されている計器ケーブルを電力計測装置から取り外すときの作業者の負担を軽減し、無停電で作業を完了させることが可能な、電力計測装置のケーブルのバイパス接続支援システムと、それを用いた電力計測装置のケーブルのバイパス接続方法を提供することである。
【課題を解決するための手段】
【００１６】
この発明に従った電力計測装置のケーブルのバイパス接続支援システムは、電力計測装置の電源側と負荷側の同相の計器ケーブルをバイパスケーブルでバイパス接続することを支援するシステムである。
【００１７】
本発明に従ったバイパス接続支援システムは、電力計測装置の電源側の計器ケーブルに配置されて電流と電圧の値を計測する電源側非接触電力計測器と、電力計測装置の負荷側の計器ケーブルに配置されて電流と電圧の値を計測する負荷側非接触電力計測器とを備える。電源側非接触電力計測器と負荷側非接触電力計測器とは、計測した電流と電圧の値を無線で送信する送信部を含む。
【００１８】
バイパス接続支援システムは、さらに、送信部から送信された電流と電圧の値を無線で受信する受信部と、判定部と、表示部とを備える。判定部は、前記受信部が前記電源側非接触電力計測器の前記送信部から受信した電流と電圧の値と、前記受信部が前記負荷側非接触電力計測器の前記送信部から受信した電流と電圧の値とを比較することによって、電源側非接触電力計測器が配置された計器ケーブルと負荷側非接触電力計測器が配置された計器ケーブルとが同相であるか否かを判定する。表示部は、判定部によって判定された結果を表示する。
【００１９】
電源側非接触電力計測器と負荷側非接触電力計測器の送信部と受信部とは、電流と電圧の値を無線で送受信するので、受信部を電源側非接触電力計測器と負荷側非接触電力計測器と離して、別個に移動させることができる。例えば、受信部と表示部を、作業者の携帯情報端末（ＰＤＡ）に配置することによって、作業者は手元で表示部を確認することができる。
【００２０】
以上の構成のバイパス接続支援システムを使用することにより、作業者は、表示部に表示される検相結果を視認して、簡単に同相の組の計器ケーブルを見出し、簡単に同相の組の計器ケーブルどうしをバイパスケーブルで接続することができる。
【００２１】
このようにすることにより、電力計測装置に接続されている計器ケーブルを電力計測装置から取り外すときの作業者の負担を軽減し、無停電で作業を完了させることが可能な電力計測装置のケーブルのバイパス接続支援システムを提供することができる。
【００２２】
また、本発明に従ったバイパス接続支援システムは、複数の電源側非接触電力計測器と複数の負荷側非接触電力計測器とを備えることが好ましい。
【００２３】
このようにすることにより、作業の繰り返しを低減することができる。
【００２４】
また、本発明に従ったバイパス接続支援システムにおいては、電源側非接触電力計測器と負荷側非接触電力計測器とは、計器ケーブルからの漏れ磁束によって動作電力を確保することが可能であるように構成されていることが好ましい。
【００２５】
電源側非接触電力計測器と負荷側非接触電力計測器とは、計器ケーブルからの漏れ磁束によって動作電力を確保するので、電源を別に設ける必要がなく、システム全体を小型化することができる。
【００２６】
また、本発明に従ったバイパス接続支援システムは、バイパスケーブルの両端に取り付けられて計器ケーブルの被覆を貫通できるコネクタを備えることが好ましい。
【００２７】
コネクタが計器ケーブルの被覆を貫通するので、作業者は、バイパスケーブルを簡単に、計器ケーブルに接続させることができる。
【００２８】
また、本発明に従ったバイパス接続支援システムは、バイパス接続前に電源側非接触電力計測器または負荷側非接触電力計測器によって計測された電流の値を記憶する記憶部を備えることが好ましい。判定部は、バイパス前電流の値に対して、バイパス接続後に計器ケーブルを流れる分電流の値が所定の比率で減少しているか否かを判定するように構成されていることが好ましい。
【００２９】
このとき、判定部は、バイパス前電流の値に対して、バイパス接続後に電源側非接触電力計測器または負荷側非接触電力計測器によって計測される分電流の値が所定の比率で減少しているか否かを判定することが好ましい。または、バイパスケーブルに配置されて少なくとも電流の値を計測するバイパスケーブル電流計測器を備え、判定部は、バイパス前電流の値に対する、バイパス接続後にバイパスケーブル電流計測器によって計測される電流の値の比が所定の値よりも大きいか否かに基づいて、バイパス前電流の値に対して、バイパス接続後に計器ケーブルを流れる分電流の値が所定の比率で減少しているか否かを判定してもよい。
【００３０】
また、本発明に従ったバイパス接続支援システムは、警報部を備えることが好ましい。警報部は、
バイパス前電流の値に対して、分電流値が所定の比率で減少していないと判定部が判定した場合に警報音を発するように構成されていることが好ましい。
【００３１】
この発明に従ったバイパス接続支援システムを用いた電力計測装置のケーブルのバイパス接続方法は、次のステップＡ〜Ｋを含む。
【００３２】
ステップＡは、電源側の複数の計器ケーブルのそれぞれに電源側非接触電力計測器を作業者が配置するステップである。ステップＢは、負荷側の複数の計器ケーブルのそれぞれに負荷側非接触電力計測器を作業者が配置するステップである。
【００３３】
ステップＣは、電源側非接触電力計測器が計測した電流と電圧の値を送信部が送信し受信部が受信するステップである。ステップＤは、負荷側非接触電力計測器が計測した電流と電圧の値を送信部が送信し受信部が受信するステップである。ステップＥは、受信部が受信した電流の値をバイパス前電流として記憶部が記憶するステップである。
【００３４】
ステップＦは、受信部が電源側非接触電力計測器の送信部から受信した電流と電圧の値と、受信部が負荷側非接触電力計測器の送信部から受信した電流と電圧の値とを比較することによって、判定部が電源側非接触電力計測器が配置された計器ケーブルと負荷側非接触電力計測器が配置された計器ケーブルとが同相であるか否かを判定するステップである。ステップＧは、判定部によって判定された結果を表示部が表示するステップである。
【００３５】
ステップＨは、判定部によって同相であると判定された電源側の計器ケーブルと負荷側の計器ケーブルとを作業者がバイパスケーブルでバイパス接続するステップである。
【００３６】
ステップＩは、バイパス接続された電源側の計器ケーブルに配置された電源側非接触電力計測器が計測した分電流の値、または、バイパス接続された負荷側の計器ケーブルに配置された負荷側非接触電力計測器が計測した分電流の値の少なくとも一方を送信部が送信し受信部が受信するステップである。
【００３７】
ステップＪは、ステップＥにおいて記憶部に記憶されたバイパス前電流の値に対して、ステップＩにおいて受信部が受信した分電流の値が所定の比率で減少しているか否かを判定部が判定するステップである。
【００３８】
ステップＫは、ステップＪにおいてバイパス前電流の値に対して、分電流の値が所定の比率で減少していないと判定された場合には警報部が警報音を発するステップである。
【００３９】
このようにすることにより、電力計測装置に接続されている計器ケーブルを電力計測装置から取り外すときの作業者の負担を軽減し、無停電で作業を完了させることが可能な電力計測装置のケーブルのバイパス接続方法を提供することができる。
【発明の効果】
【００４０】
以上のように、この発明によれば、無停電で、電力計測装置に接続されている計器ケーブルを電力計測装置から、バイパス接続時に短絡させたり、停電や異常電圧流入させたりすることなく、安全に取り外すことが可能な、電力計測装置のケーブルのバイパス接続支援システムと、それを用いた電力計測装置のケーブルのバイパス接続方法を提供することができる。
【図面の簡単な説明】
【００４１】
【図１】本発明の第１実施形態の無停電バイパス接続支援システムの構成を模式的に示す図である。
【図２】第１実施形態の無停電バイパス接続支援システムを用いた無停電バイパス接続の工程Ｓ１〜Ｓ８を順に示すフローチャートである。
【図３】第１実施形態の無停電バイパス接続支援システムを用いた無停電バイパス接続の工程Ｓ９〜Ｓ１７を順に示すフローチャートである。
【図４】第１実施形態の無停電バイパス接続支援システムの各計器ケーブルにマーキングが付された状態を模式的に示す図である。
【図５】第１実施形態の無停電バイパス接続支援システムの各計器ケーブルにセンサが取り付けられ、検相結果が表示された状態を模式的に示す図である。
【図６】第１実施形態の無停電バイパス接続支援システムの各計器ケーブルにセンサが取り付けられ、各相の電流値が表示された状態を模式的に示す図である。
【図７】第１実施形態の無停電バイパス接続支援システムの同相のケーブルどうしがバイパスケーブルで接続され、分電流の値が表示された状態を模式的に示す図である。
【図８】第１実施形態の無停電バイパス接続支援システムの各計器ケーブルが電力計測装置から取り外された状態を模式的に示す図である。
【図９】第２実施形態の無停電バイパス接続支援システムにおいて１組の計器ケーブルにセンサが取り付けられ、検相結果が示された状態を模式的に示す図である。
【図１０】第２実施形態の無停電バイパス接続支援システムにおいて別の組の計器ケーブルにセンサが取り付けられ、検相結果が示された状態を模式的に示す図である。
【図１１】第２実施形態の無停電バイパス接続支援システムの同相のケーブルどうしがバイパスケーブルで接続され、分電流の値が表示された状態を模式的に示す図である。
【発明を実施するための形態】
【００４２】
以下、本発明の実施の形態を図面に基づいて説明する。
【００４３】
（第１実施形態）
図１は、電力計測装置の計器ケーブルがバイパス接続された状態を示す。図１に示すように、本発明の第１実施形態の無停電バイパス接続支援システム１は、主に、電源側計器ケーブル１１，１２，１３と負荷側計器ケーブル１４，１５，１６とが接続された電力メータ１０と、電源側計器ケーブル１１，１２，１３にそれぞれ配置された電源側センサ２１，２２，２３と、負荷側計器ケーブル１４，１５，１６にそれぞれ配置された負荷側センサ２４，２５，２６と、電源側計器ケーブル１１，１２，１３と負荷側計器ケーブル１４，１５，１６とをバイパス接続するバイパスケーブル３１，３２，３３と、携帯情報端末（ＰＤＡ）４０とから構成されている。電力メータ１０は電力計測装置の一例である。電源側センサ２１，２２，２３は電源側非接触電力計測器の一例である。負荷側センサ２４，２５，２６は負荷側非接触電力計測器の一例である。
【００４４】
電源側計器ケーブル１１，１２，１３は、電力メータ１０の電源側に接続されており、負荷側計器ケーブル１４，１５，１６は、電力メータ１０の負荷側に接続されている。
【００４５】
電源側計器ケーブル１１には、電源側センサ２１が取り付けられている。電源側センサ２１は、計器ケーブル１１からの漏れ磁束によって動作電力を確保するように構成されており、計器ケーブル１１の電流と電圧を非接触で計測する。電源側センサ２１は、計測した電流と電圧の値を無線で送信する送信部２１１を含む。
【００４６】
電源側センサ２２，２３と負荷側センサ２４，２５，２６も電源側センサ２１と同様に構成されており、それぞれ、送信部２１１と同様に構成されている送信部２２１，２３１，２４１，２５１，２６１を含む。
【００４７】
電源側センサ２１，２２，２３は、それぞれ、作業者が目視で区別できるように、色分けされたり、ラベルを付けられたりしている。この実施形態においては、それぞれ「１Ｓ」「２Ｓ」「３Ｓ」との識別記号が表示されたラベルが貼り付けられている。負荷側センサ２４．２５．２６も同様に、色分けされたりラベルを付けられたりしている。この実施形態においては、それぞれ、「１Ｌ」「２Ｌ」「３Ｌ」との識別記号が表示されたラベルが貼り付けられている。また、電源側センサ２１，２２，２３と負荷側センサ２４，２５，２６は、それぞれのラベルに表示された識別記号を記憶部（図示しない）に記憶している。
【００４８】
バイパスケーブル３１は、この実施形態においては、電源側計器ケーブル１１と負荷側計器ケーブル１４とを接続している。バイパスケーブル３１の両端には電源側コネクタ３１１と負荷側コネクタ３１２が取り付けられている。電源側コネクタ３１１と負荷側コネクタ３１２は、例えばクランプ形状に形成されており、電源側計器ケーブル１１と負荷側計器ケーブル１４の被覆を貫通する。バイパスケーブル３１の中央には、限流ヒューズが取り付けられていてもよい。コネクタとしては、例えば、特許第３４１８９２５号公報に記載されている電線クランプを用いることができる。
【００４９】
バイパスケーブル３２，３３もバイパスケーブル３１と同様に構成されている。バイパスケーブル３２は電源側計器ケーブル１２と負荷側計器ケーブル１５とをバイパス接続し、バイパスケーブル３３は電源側計器ケーブル１３と負荷側計器ケーブル１６とをバイパス接続している。バイパスケーブル３１，３２，３３によってバイパス接続される電源側計器ケーブル１１，１２，１３と負荷側計器ケーブル１４，１５，１６との組は、後述するように、同相であることを作業者が確認した組である。
【００５０】
バイパスケーブル３２に取り付けられた電源側コネクタ３２１と負荷側コネクタ３２２と、バイパスケーブル３３に取り付けられた電源側コネクタ３３１と負荷側コネクタ３３２は、電源側コネクタ３１１と負荷側コネクタ３１２と同様に構成されている。
【００５１】
バイパスケーブル３１，３２，３３の電源側コネクタ３１１，３２１，３３１は、電源側センサ２１，２２，２３よりも上流側に取り付けられている。バイパスケーブル３１，３２，３３の負荷側コネクタ３１２，３２２，３３２は、負荷側センサ２４，２５，２６よりも下流側に取り付けられている。
【００５２】
携帯情報端末４０は、電力メータ１０と電源側センサ２１，２２，２３と負荷側センサ２４，２５，２６とは別個に形成されており、作業者が携帯できるように構成されている。携帯情報端末４０は主に、受信部４１と、記憶部４２と、判定部４３と、表示部４４と、警報部４５とを含む。
【００５３】
受信部４１は、送信部２１１，２２１，２３１，２４１，２５１，２６１から送信された識別記号や電流と電圧の値といった情報を無線で受信する。受信部４１が受信した情報は記憶部４２に送信される。
【００５４】
記憶部４２は、送信部４１から送信された情報を記憶する。
【００５５】
判定部４３は、記憶部４２に記憶された情報を読み出し、表示部４４に表示させる。判定部４３はまた、後述するように、記憶部４２に記憶された情報を読み出し、必要に応じて演算し、演算の結果、例えば、検相の結果や分電流の値が所定の割合以下であるかどうかを表示部４４に表示させる。表示部４４は、作業者が視認可能であるように構成されている。判定部４３は、演算部と制御部を兼ねるものである。
【００５６】
判定部４３はさらに、記憶部４２から読みだした情報を用いてした演算の結果に基づいて、警報部４５を制御して警報部４５に警報音を発生させるように構成されている。
【００５７】
次に、図２〜３のフローチャートと、各状態を表す図４〜８とに基づいて、無停電バイパス接続支援システム１を用いて、例えば電力メータ１０を無停電で交換するための作業手順の一例を説明する。
【００５８】
図２と図４に示すように、ステップＳ１では、作業者が、電源側計器ケーブル１１，１２，１３と負荷側計器ケーブル１４，１５，１６のコネクタ取り付け位置にマーカ１１１，１２１，１３１，１４１，１５１，１６１を付けてマーキングする。このとき、携帯情報端末４０の表示部４４には何も表示されず、あるいは、待機状態であることを示す画像が表示される。
【００５９】
ステップＳ２では、作業者が、電源側計器ケーブル１１，１２，１３においてはマーカ１１１，１２１，１３１よりも下流側に、電源側センサ２１，２２，２３と取り付ける。また作業者は、負荷側計器ケーブル１４，１５，１６においてはマーカ１４１，１５１，１６１よりも上流側に、負荷側センサ２４，２５，２６を取り付ける。電源側センサ２１，２２，２３と負荷側センサ２４，２５，２６は、計器ケーブル１１，１２，１３，１４，１５，１６の漏れ磁束から動作電力を確保して、起動する。
【００６０】
ステップＳ３では、電源側センサ２１，２２，２３の送信部２１１，２２１，２３１と負荷側センサ２４，２５，２６の送信部２４１，２５１，２６１が、それぞれ取り付けられている計器ケーブル１１，１２，１３，１４，１５，１６の電流値と電圧値を非接触で計測し、計測した値を、「１Ｓ」や「１Ｌ」といったそれぞれの識別記号とともに、無線で受信部４１に送信する。送信部２１１，２２１，２３１，２４１，２５１，２６１は、計測した電流値と電圧値とに基づいて検相信号を作成し、検相信号を受信部４１に送信してもよい。
【００６１】
ステップＳ４では、受信部４１が記憶部４２に、受信した識別記号、電流値、電圧値と、あれば検相信号を送信する。記憶部４２は、特に、受信した電流値を、それぞれの識別記号についてのバイパス前電流として記憶する。
【００６２】
ステップＳ５では、判定部４３が記憶部４２から、識別記号と、電流値・電圧値、あれば検相信号を読み出して、どの識別記号の電源側センサ２１，２２，２３とどの識別記号の負荷側センサ２４，２５，２６とが同相であるのかを判定する。判定部４３は、例えば、電源側センサ２１の送信部２１１から送信された電流値と電圧値とを、負荷側センサ２４の送信部２４１から送信された電流値・電圧値、負荷側センサ２５の送信部２５１から送信された電流値・電圧値、負荷側センサ２６の送信部２６１から送信された電流値・電圧値と順に比較することによって、電源側センサ２１が配置されている電源側計器ケーブル１１と同相の負荷側計器ケーブルを特定することができる。判定部４３は、判定した検相結果を記憶部に記憶させる。
【００６３】
ステップＳ６では、判定部４３は、検相結果と各相の電流値を表示部４４に送信する。
【００６４】
ステップＳ７では、表示部４４は、検相結果と各相の電流値（バイパス前電流の値）を表示する。
【００６５】
図５に示すように、例えば、電源側センサ２１と負荷側センサ２４とが同相であり、電源側センサ２２と負荷側センサ２５とが同相であり、電源側センサ２３と負荷側センサ２６とが同相であると判定部４３によって判定された場合には、表示部４４には、センサ「１Ｓ」と「１Ｌ」、「２Ｓ」と「２Ｌ」、「３Ｓ」と「３Ｌ」がそれぞれ同相であることを表示する。また、検相が終了したことを「検相ＯＫ」などの文字で表示してもよい。
【００６６】
また図６に示すように、表示部４４には、同相の各組の電流値が表示される。
【００６７】
図２と図７に示すように、ステップＳ８では、作業者が表示部４４を確認して、同相の計器ケーブル１１，１２，１３，１４，１５，１６どうしをバイパスケーブル３１，３２，３３でバイパス接続する。この実施形態では、例えば、電源側センサ２１が取り付けられている電源側計器ケーブル１１と負荷側センサ２４が取り付けられている負荷側計器ケーブル１４とを、各センサに貼り付けされているラベル「１Ｓ」「１Ｌ」を目印にして、バイパスケーブル３１でバイパス接続する。バイパスケーブル３１の電源側コネクタ３１１はマーカ１１１の近傍に、負荷側コネクタ３１２はマーカ１４１の近傍において計器ケーブル１１，１４の被覆を貫通して取り付けられる。
【００６８】
作業者は、続けて、電源側センサ２２が取り付けられている電源側計器ケーブル１２と負荷側センサ２５が取り付けられている負荷側計器ケーブル１５とを、各センサに貼り付けされているラベル「２Ｓ」「２Ｌ」を目印にして、バイパスケーブル３２でバイパス接続する。バイパスケーブル３２の電源側コネクタ３２１はマーカ１２１の近傍に、負荷側コネクタ３２２はマーカ１５１の近傍において計器ケーブル１２，１５の被覆を貫通して取り付けられる。
【００６９】
作業者は、最後に、電源側センサ２３が取り付けられている電源側計器ケーブル１３と負荷側センサ２６が取り付けられている負荷側計器ケーブル１６とを、各センサに貼り付けされているラベル「３Ｓ」「３Ｌ」を目印にして、バイパスケーブル３３でバイパス接続する。バイパスケーブル３３の電源側コネクタ３３１はマーカ１３１の近傍に、負荷側コネクタ３３２はマーカ１６１の近傍において計器ケーブル１３，１６の被覆を貫通して取り付けられる。
【００７０】
なお、この実施形態においては、電源側と負荷側にそれぞれ３本ずつの計器ケーブルが接続されているが、計器ケーブルは何本ずつ接続されていてもよく、作業者は同様にして同相の組を確認し、バイパス接続する。また、バイパスケーブルを接続する順番も、作業者が同相の計器ケーブルの組を確認してバイパス接続すればよく、どの相の計器ケーブルからバイパス接続しても構わない。
【００７１】
図３に示すように、ステップＳ９では、電源側計器ケーブル１１，１２，１３と負荷側計器ケーブル１４，１５，１６がバイパス接続された状態で、送信部２１１，２２１，２３１，２４１，２５１，２６１は各計器ケーブル１１，１２，１３，１４，１５，１６の電流値を計測し、各センサの識別記号とともに受信部４１に送信する。
【００７２】
ステップＳ１０では、受信部４１が記憶部４２に、受信した識別記号と電流値、すなわち、バイパス接続後の分電流値を送信する。
【００７３】
ステップＳ１１では、判定部４３が記憶部４２から、ステップＳ４で記憶部４２に記憶された各識別記号に対応するバイパス前電流の値と、ステップＳ１０で記憶部４２に記憶された各識別記号に対応する電流値（分電流値）とを読み出す。判定部４３は、読み出した各識別記号に対応する電流値について、ステップＳ４で記憶されたバイパス前電流の値とステップＳ１０で記憶された分電流値とを比較して、分電流の値を算出する。
【００７４】
ステップＳ１２では、判定部４３は、バイパス前電流の値に対して、バイパス接続後に電源側センサ２１，２２，２３または負荷側センサ２４，２５，２６によって計測される分電流の値が所定の比率で減少しているか否かを判定する。この実施形態においては、例えば、バイパス前電流の値に対して分電流の値が５０％以下に低減していれば、正常に分電流できていると判断するものとする。バイパス前電流の値に対して分電流の値が５０％以下に低減していれば、ステップＳ１３に進む。バイパス前電流の値に対して分電流の値が５０％以下に低減していなければ、ステップＳ１５に進む。
【００７５】
ステップＳ１３では、図７に示すように、判定部４３が表示部４４に判定の結果を送信し、表示部４４は、各相の電流の値と、分電流が所定の値以下であることを、例えば「分電流ＯＫ」の文字などで表示する。作業者は、表示部４４の表示を確認する。
【００７６】
ステップＳ１４では、図８に示すように、作業者が電力メータ１０から計器ケーブル１１，１２，１３，１４，１５，１６を取り外す。電力メータ１０と各計器ケーブル１１，１２，１３，１４，１５，１６とが分離されると、計器ケーブル１１，１２，１３，１４，１５，１６の漏れ磁束がなくなり、電源側センサ２１，２２，２３と負荷側センサ２４，２５，２６は電源を失う。この時、表示部４４には、電源側センサ２１，２２，２３と負荷側センサ２４，２５，２６が計測する電流値が０Ａ，０ｍＡであることが表示される。作業者は、表示部４４の表示を確認する。
【００７７】
一方、ステップＳ１５では、表示部４４は、バイパス前電流の値に対して分電流の値が５０％以下に低減していないことを表示する。
【００７８】
ステップＳ１６では、判定部４３が警報部４５を制御して、警報音を発生させ、作業者の注意を喚起する。
【００７９】
ステップＳ１７では、作業者はバイパス接続を確認し、ステップＳ８と同様にして正しく接続し直す。その後、ステップＳ９に戻る。
【００８０】
以上のように、電力メータ１０のケーブルの無停電バイパス接続支援システム１は、電力メータ１０の同相の電源側計器ケーブル１１，１２，１３と負荷側計器ケーブル１４，１５，１６をバイパスケーブル３１，３２，３３でバイパス接続することを支援するシステムである。
【００８１】
本発明に従った無停電バイパス接続支援システム１は、電力メータ１０の電源側計器ケーブル１１，１２，１３に配置されて電流と電圧の値を計測する電源側センサ２１，２２，２３と、電力メータ１０の負荷側計器ケーブル１４，１５，１６に配置されて電流と電圧の値を計測する負荷側センサ２４，２５，２６とを備える。電源側センサ２１，２２，２３と負荷側センサ２４，２５，２６とは、計測した電流と電圧の値を無線で送信する送信部２１１，２２１，２３１，２４１，２５１，２６１を含む。
【００８２】
無停電バイパス接続支援システム１は、さらに、送信部２１１，２２１，２３１，２４１，２５１，２６１から送信された電流と電圧の値を無線で受信する受信部４１と、判定部４３と、表示部４４とを備える。判定部４３は、受信部４１が電源側センサ２１，２２，２３の送信部２１１，２２１，２３１から受信した電流と電圧の値と、受信部４１が負荷側センサ２４，２５，２６の送信部２４１，２５１，２６１から受信した電流と電圧の値とを比較することによって、電源側センサ２１，２２，２３が配置された計器ケーブル１１，１２，１３と負荷側センサ２４，２５，２６が配置された計器ケーブル１４，１５，１６とが同相であるか否かを判定する。表示部４４は、判定部４３によって判定された結果を表示する。
【００８３】
電源側センサ２１，２２，２３と負荷側センサ２４，２５，２６の送信部２１１，２２１，２３１，２４１，２５１，２６１と受信部４１とは、電流と電圧の値を無線で送受信するので、受信部４１を電源側センサ２１，２２，２３と負荷側センサ２４，２５，２６と離して、別個に移動させることができる。例えば、受信部４１と表示部４４を、作業者の携帯情報端末（ＰＤＡ）４０に配置することによって、作業者は手元で表示部４４を確認することができる。
【００８４】
以上の構成の無停電バイパス接続支援システム１を使用することにより、作業者は、表示部４４に表示される検相結果を視認して、簡単に同相の組の計器ケーブルを見出し、簡単に同相の組の計器ケーブルどうしをバイパスケーブル３１，３２，３３で接続することができる。
【００８５】
このようにすることにより、電力メータ１０に接続されている計器ケーブル１１，１２，１３，１４，１５，１６を電力メータ１０から取り外すときの作業者の負担を軽減し、無停電で作業を完了させることが可能な電力メータ１０のケーブルの無停電バイパス接続支援システム１を提供することができる。
【００８６】
また、無停電バイパス接続支援システム１は、複数の電源側センサ２１，２２，２３と複数の負荷側センサ２４，２５，２６とを備える。
【００８７】
このようにすることにより、作業の繰り返しを低減することができる。
【００８８】
また、無停電バイパス接続支援システム１においては、電源側センサ２１，２２，２３と負荷側センサ２４，２５，２６とは、計器ケーブルからの漏れ磁束によって動作電力を確保することが可能であるように構成されている。
【００８９】
電源側センサ２１，２２，２３と負荷側センサ２４，２５，２６とは、計器ケーブルからの漏れ磁束によって動作電力を確保するので、電源を別に設ける必要がなく、システム全体を小型化することができる。
【００９０】
また、無停電バイパス接続支援システム１は、バイパスケーブル３１，３２，３３の両端に取り付けられて計器ケーブルの被覆を貫通できるコネクタ３１１，３１２，３２１，３２２，３３１，３３２を備える。
【００９１】
コネクタ３１１，３１２，３２１，３２２，３３１，３３２が計器ケーブルの被覆を貫通するので、作業者は、バイパスケーブル３１，３２，３３を簡単に、計器ケーブルに接続させることができる。
【００９２】
また、無停電バイパス接続支援システム１は、バイパス接続前に電源側センサ２１，２２，２３または負荷側センサ２４，２５，２６によって計測された電流の値を記憶する記憶部４２を備えることが好ましい。判定部４３は、バイパス前電流の値に対して、バイパス接続後に電源側センサ２１，２２，２３または負荷側センサ２４，２５，２６によって計測される分電流の値が所定の比率で減少しているか否かを判定することが可能であるように構成されている。
【００９３】
また、無停電バイパス接続支援システム１は、警報部４５を備えることが好ましい。警報部４５は、バイパス前電流の値に対して、分電流値が所定の比率で減少していないと判定部４３が判定した場合に警報音を発するように構成されている。
【００９４】
第１実施形態の無停電バイパス接続支援システム１を用いた電力メータ１０のケーブルのバイパス接続方法は、要約すれば、次のステップＡ〜Ｋを含む。
【００９５】
ステップＡは、複数の電源側計器ケーブル１１，１２，１３のそれぞれに電源側センサ２１，２２，２３を作業者が配置するステップである。ステップＢは、複数の負荷側計器ケーブル１４，１５，１６のそれぞれに負荷側センサ２４，２５，２６を作業者が配置するステップである。ステップＡとステップＢは、この実施形態のステップＳ２に対応する。
【００９６】
ステップＣは、電源側センサ２１，２２，２３が計測した電流と電圧の値を送信部２１１，２２１，２３１が送信し受信部４１が受信するステップである。ステップＤは、負荷側センサ２４，２５，２６が計測した電流と電圧の値を送信部２４１，２５１，２６１が送信し受信部４１が受信するステップである。ステップＣとステップＤは、この実施形態のステップＳ３に対応する。ステップＥは、受信部４１が受信した電流と電圧の値を記憶部４２が記憶するステップである（ステップＳ４）。
【００９７】
ステップＦは、受信部４１が電源側センサ２１，２２，２３の送信部２１１，２２１，２３１から受信した電流と電圧の値と、受信部４１が負荷側センサ２４，２５，２６の送信部２４１，２５１，２６１から受信した電流と電圧の値とを比較することによって、判定部４３が電源側センサ２１，２２，２３が配置された計器ケーブル１１，１２，１３と負荷側センサ２４，２５，２６が配置された計器ケーブル１４，１５，１６とが同相であるか否かを判定するステップである（ステップＳ５）。ステップＧは、判定部４３によって判定された結果を表示部４４が表示するステップである（ステップＳ７）。
【００９８】
ステップＨは、判定部４３によって同相であると判定された電源側計器ケーブル１１，１２，１３と負荷側計器ケーブル１４，１５，１６とを作業者がバイパスケーブル３１，３２，３３でバイパス接続するステップ（ステップＳ８）である。
【００９９】
ステップＩは、バイパス接続された電源側の計器ケーブル１１，１２，１３に配置された電源側センサ２１，２２，２３が計測した分電流の値、または、バイパス接続された負荷側の計器ケーブル１４，１５，１６に配置された負荷側センサ２４，２５，２６が計測した分電流の値の少なくとも一方を送信部２１１，２２１，２３１，２４１，２５１，２６１が送信し受信部４１が受信するステップである（ステップＳ９）。なお、第１実施形態においては、電源側センサ２１，２２，２３が計測した分電流と負荷側センサ２４，２５，２６が計測した分電流の両方を送受信している。
【０１００】
ステップＪは、ステップＥにおいて記憶部４２に記憶されたバイパス前電流の値に対して、ステップＩにおいて受信部４１が受信した分電流の値が所定の比率、すなわち、第１実施形態においては５０％以下に減少しているか否かを判定部４３が判定するステップ（ステップＳ１１，１２）である。
【０１０１】
ステップＫは、ステップＪにおいてバイパス前電流の値に対して、分電流の値が所定の比率、すなわち、第１実施形態においては５０％以下に減少していないと判定された場合には警報部４５が警報音を発するステップ（ステップＳ１６）である。
【０１０２】
このようにすることにより、電力メータ１０に接続されている計器ケーブル１１，１２，１３，１４，１５，１６を電力メータ１０から取り外すときの作業者の負担を軽減し、無停電で作業を完了させることが可能な電力メータ１０のケーブルのバイパス接続方法を提供することができる。
【０１０３】
なお、第１実施形態においては、電源側センサ２１，２２，２３と負荷側センサ２４，２５，２６によって計測された電流値と電圧値とは、バイパス前においてもバイパス後においても記憶部４２に記憶されている。しかしながら、分電流の低減率が所定の値以下であることの確認が不要であれば、無停電バイパス接続支援システム１は、記憶部４２を備えなくてもよい。また、無停電バイパス接続支援システム１が記憶部４２を備えており、分電流の低減率が所定の値以下であることを確認する場合であっても、バイパス接続前電流の値のみを記憶部４２が記憶し、記憶部４２に記憶されたバイパス前電流の値をバイパス接続後に計測された電流値と直接、比較して分電流の低減率が算出されてもよい。
【０１０４】
また、第１実施形態においては、判定部４３は、バイパス前電流の値に対して、バイパス接続後に電源側センサ２１，２２，２３または負荷側センサ２４，２５，２６によって計測される分電流の値が所定の比率で減少しているか否かを判定することが可能であるように構成されているが、バイパス接続支援システムは、次のように構成されていてもよい。すなわち、バイパスケーブル３１，３２，３３に配置されて少なくとも電流の値を計測するバイパスケーブル電流計測器（図示しない）を備え、判定部４３は、バイパス前電流の値に対する、バイパス接続後にバイパスケーブル電流計測器によって計測される電流の値が所定の値の比が所定の値より大きいか否かを判断することによって、バイパス前電流の値に対して、バイパス接続後に計器ケーブル１１，１２，１３，１４，１５，１６を流れる分電流の値が所定の比率で減少しているか否かを判定してもよい。バイパスケーブル電流計測器としては、例えば、電源側センサ２１，２２，２３や負荷側センサ２４，２５，２６と同様の構成のセンサを用いることができる。
【０１０５】
（第２実施形態）
第１実施形態の無停電バイパス接続支援システムにおいては、複数の電源側電力計測器と複数の負荷側電力計測器とを用いて説明したが、本発明の無停電バイパス接続支援システムは、電源側電力計測器と負荷側電力計測器とをそれぞれ１つずつ備えていればよい。但し、この場合、作業者は検相とバイパス接続とを計器ケーブルの組の数だけ繰り返す必要がある。以下、第２実施形態の無停電バイパス接続支援システムを図９〜１１に基づいて説明する。第１実施形態と同じ参照符号で表わされる部材は説明を省略する。
【０１０６】
図９に示すように、第２実施形態の無停電バイパス接続支援システム２は、電源側電力計測器として電源側センサ５１と、負荷側電力計測器として負荷側センサ５２とを備える。電源側センサ５１は送信部５１１を含み、負荷側センサ５２は送信部５２１を含む。電源側センサ５１には「０Ｓ」との識別記号が表示されたラベルが貼り付けされ、識別記号は電源側センサ５１の記憶部（図示しない）に記憶されている。負荷側センサ５２には「０Ｌ」との識別記号が表示されたラベルが貼り付けされ、識別記号は負荷側センサ５２の記憶部（図示しない）に記憶されている。電源側センサ５１と負荷側センサ５２のその他の構成は、第１実施形態の電源側センサと負荷側センサと同様である。
【０１０７】
また、以下に説明する工程は、基本的には図２〜３に示す工程と同様である。無停電バイパス接続支援システム２を用いた電力メータ１０のケーブルのバイパス接続方法は、要約すれば、次のステップＡ〜Ｋを含む。
【０１０８】
作業者は、電源側センサ５１を、例えば電源側計器ケーブル１１に配置し（ステップＡ）、負荷側センサ５２を、例えば負荷側計器ケーブル１６に配置する（ステップＢ）。
【０１０９】
電源側センサ５１は、電源側計器ケーブル１１の電流と電圧の値を計測し、送信部５１１がそれらの値を送信し、受信部４１が受信する（ステップＣ）。また、負荷側センサ５２は、負荷側計器ケーブル１６の電流と電圧の値を計測し、送信部５１１がそれらの値を送信し、受信部４１が受信する（ステップＤ）。受信部４１は、受信した電流と電圧の値を記憶部４２に送信し、記憶部４２がこれらの値を記憶する（ステップＥ）。
【０１１０】
判定部４３は、受信部４１が電源側センサ５１の送信部５１１から受信した電流と電圧の値と、受信部４１が負荷側センサ５２の送信部５２１から受信した電流と電圧の値とを比較することによって、電源側センサ５１が配置された電源側計器ケーブル１１と負荷側センサ５２が配置された負荷側計器ケーブル１６が同相であるか否かを判定する（ステップＦ）。表示部４４は、判定部４３によって判定された結果、例えば、同相ではないという結果を表示する（ステップＧ）。作業者は、ステップＧにおいて表示部４４に表示された結果を確認する。
【０１１１】
図９に示すように、表示部４４に、例えば、同相ではないという結果が表示された場合には、作業者は、負荷側センサ５２を別の負荷側計器ケーブル１４に配置し直す（ステップＢ）。なお、電源側センサ５１を別の電源側計器ケーブルに配置し直してもよい。ステップＣ〜ステップＧまでの工程が繰り返される。
【０１１２】
図１０に示すように、ステップＦにおいて、判定部４３が、電源側センサ５１が配置された電源側計器ケーブル１１と負荷側センサ５２が配置された負荷側計器ケーブル１４が同相であると判定した場合には、表示部４４に同相であるという結果が表示される（ステップＧ）。作業者は表示部４４に表示された結果を確認する。
【０１１３】
作業者は、電源側センサ５１が配置されている電源側計器ケーブル１１と負荷側センサ５２が配置されている負荷側計器ケーブル１４とをバイパスケーブル３１で接続する（ステップＨ）。
【０１１４】
バイパス接続された電源側の計器ケーブル１１に配置された電源側センサ５１が計測した分電流の値、または、バイパス接続された負荷側の計器ケーブル１４に配置された負荷側センサ５２が計測した分電流の値の少なくとも一方を送信部５１１または送信部５２１が送信し受信部４１が受信する（ステップＩ）。
【０１１５】
判定部４３は、ステップＥにおいて記憶部４２に記憶されたバイパス前電流の値に対して、ステップＩにおいて受信部４１が受信した分電流の値が所定の比率、例えば５０％以下に減少しているか否かを判定する（ステップＪ）。
【０１１６】
警報部４５は、ステップＪにおいてバイパス前電流の値に対して、分電流の値が所定の比率、例えば５０％以下に減少していないと判定された場合には警報音を発する（ステップＫ）。
【０１１７】
図１１に示すように、ステップＬにおいて判定された分電流の値は表示部４４に表示される。作業者は、表示部４４の表示を確認し、分電流が所定の値以下であれば、電源側センサ５１と負荷側センサ５２とを計器ケーブル１１，１４から取り外す。
【０１１８】
作業者は、電源側センサ５１と負荷側センサ５２とを別の組の計器ケーブルに取り付けて、上述のステップＡ〜Ｋを繰り返す。すべての計器ケーブルをバイパス接続した後、作業者は電力メータ１０を計器ケーブル１１，１２，１３，１４，１５，１６から取り外す。
【０１１９】
このようにすることにより、電力メータ１０に接続されている計器ケーブル１１，１２，１３，１４，１５，１６を電力メータ１０から取り外すときの作業者の負担を軽減し、無停電で作業を完了させることが可能な電力メータ１０のケーブルのバイパス接続方法を提供することができる。
【０１２０】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【０１２１】
１，２：無停電バイパス接続支援システム、１０：電力メータ、１１，１２，１３：電源側計器ケーブル、１４，１５，１６：負荷側計器ケーブル、２１，２２，２３，５１：電源側センサ、２４，２５，２６，５２：負荷側センサ、２１１，２２１，２３１，２４１，２５１，２６１，５１１，５２１：送信部、３１，３２，３３：バイパスケーブル、３１１，３２１，３３１：電源側コネクタ、３１２，３２２，３３２：負荷側コネクタ、４０：携帯情報端末、４１：受信部、４２：記憶部、４３：判定部、４４：表示部、４５：警報部。
【図１】
2014137346.tif 000003
【図２】
2014137346.tif 000004
【図３】
2014137346.tif 000005
【図４】
2014137346.tif 000006
【図５】
2014137346.tif 000007
【図６】
2014137346.tif 000008
【図７】
2014137346.tif 000009
【図８】
2014137346.tif 000010
【図９】
2014137346.tif 000011
【図１０】
2014137346.tif 000012
【図１１】
2014137346.tif 000013